(57)【特許請求の範囲】
【請求項１】
走行する被印刷材をその側端部において表裏から挟むように配置される保水性のある拭き取り材と、該拭き取り材を上記被印刷材の側端部に押し付ける押し付け手段と、上記拭き取り材に水を供給する給水手段とを具備し、上記拭き取り材は上記被印刷材の表裏の中央部近傍から左右の側端部に向かって各々送られる帯材であり、上記左側端部用の帯材の繰出しロールが各々被印刷材の表裏の中央部近傍に配置されると共にこれら両帯材を重ねた状態で巻き取る回収ロールが上記左側端部の外側に配置され、同様に上記右側端部用の帯材の繰出しロール及び回収ロールが上記右側端部の外側に配置され、上記押し付け手段は上記拭き取り材をその背面から上記被印刷材の各側端部に押付ける押し付け部材であり、これら押し付け部材は上記被印刷材の表裏のものが被印刷材の走行方向上でずらされると共に被印刷材の反対面側へと押し込まれていることを特徴とする被印刷材用異物除去装置。
【請求項２】
上記拭き取り材の繰出しロール及び回収ロールが上記被印刷材の各側端部ごとにフレームに保持され、上記被印刷材を横切るように配置されるガイドレールに両フレームが支持されたことを特徴とする請求項１に記載の被印刷材用異物除去装置。
【請求項３】
印刷機の給紙部と印刷部との間における被印刷材の走行路上に設置されたことを特徴とする請求項１又は請求項２に記載の被印刷材用異物除去装置。
【発明の詳細な説明】
【０００１】
【発明の属する技術分野】
本発明は、巻取紙等の被印刷材の両側端部に付着した紙粉等の異物を除去するための異物除去装置に関する。
【０００２】
【従来の技術】
BF（ビジネスフォーム）印刷機、商業用オフセット輪転印刷機、新聞印刷機等の輪転印刷機は被印刷材として巻取紙を使用している。この巻取紙の表面には紙粉、ごみ、埃等の異物が付着している。被印刷材に異物が付着していると、印刷インキの着きが悪くなり、印刷品質が低下する等の不都合を生じる。例えばオフセット印刷の場合は被印刷材に接触するブランケット胴に異物が付着、堆積し、印刷品質に悪影響を与え、そのためブランケット胴を度々洗浄する必要が生じる。
【０００３】
従来そのような不都合を回避するため、被印刷材を拭き取り装置により拭いた後に印刷に供するようにしている。
【０００４】
被印刷材の拭き取り装置としては、特開平５−１９３１１２号、特開平６−３２０７１１号、特開平７−２５６８６２号で開示されるようなものがある。特開平５−１９３１１２号の拭き取り装置は、ダイアフラムを印刷紙に対向させ両者間に布を介在させてなるもので、ノズルから水を噴射して布を湿らせ、ダイアフラムを膨脹させて該布を印刷紙に押し付け、この布で印刷紙を拭くようになっている。特開平６−３２０７１１号の拭き取り装置は、回転するクロムメッキローラの表面にノズルから水を噴射してローラ表面に水の皮膜を形成し、この水の皮膜の形成されたローラに不織布を接触させると共にこの不織布を走行する印刷紙の表面に押し付けるようにしている。特開平７−２５６８６２号の拭き取り装置は、クロムメッキローラを水舟中の水に浸漬して回転させ、ローラ表面に形成された水皮膜を不織布に転移させると共にこの不織布を走行する印刷紙の表面に押し付けるようにしている。
【０００５】
【発明が解決しようとする課題】
高級紙であるアート紙やコート紙等は、塗工紙であるため紙の表面からの紙粉の発生は少なく、スリッター面である用紙の側端部から紙粉が多く発生する。したがって、巻取紙が塗工紙等である場合は両側端部及びその近傍を集中的に拭き取るようにした方が経済的である。
【０００６】
また、軟包装材であるフィルムのスリッター面には微細なスリッター屑や可塑剤の粉末が付着している。したがって、グラビア輪転機等によりフィルムに印刷を行う場合であっても、事前に被印刷材の側端部からスリッター屑等を除去するのが望ましい。
【０００７】
また、巻取紙やフィルムには静電気が生じている場合があり、この静電気量が多くなると、印刷品質が低下し、また排紙部で印刷物の不揃い等のトラブルを生じるおそれがある。
【０００８】
【課題を解決するための手段】
上記課題を解決するため、請求項１に係る発明は、走行する被印刷材（４）をその側端部（４ａ，４ｂ）において表裏から挟むように配置される保水性のある拭き取り材（１５，１６）と、該拭き取り材（１５，１６）を上記被印刷材（４）の側端部（４ａ，４ｂ）に押し付ける押し付け手段と、上記拭き取り材（１５，１６）に水を供給する給水手段（３９等）とを具備し、上記拭き取り材（１５，１６）は上記被印刷材（４）の表裏の中央部近傍から左右の側端部（４ａ，４ｂ）に向かって各々送られる帯材であり、上記左側端部用の帯材の繰出しロール（１５ａ，１６ａ）が各々被印刷材（４）の表裏の中央部近傍に配置されると共にこれら両帯材を重ねた状態で巻き取る回収ロール（１７）が上記左側端部（４ａ）の外側に配置され、同様に上記右側端部用の帯材の繰出しロール及び回収ロールが上記右側端部（４ｂ）の外側に配置され、上記押し付け手段は上記拭き取り材（１５，１６）をその背面から上記被印刷材（４）の各側端部（４ａ，４ｂ）に押付ける押し付け部材（３４，３５）であり、これら押し付け部材（３４，３５）は上記被印刷材（４）の表裏のものが被印刷材（４）の走行方向上でずらされると共に被印刷材（４）の反対面側へと押し込まれていることを特徴とする被印刷材用異物除去装置（１）を採用する。
【００１０】
また、請求項２に係る発明は、上記拭き取り材の繰出しロール（１５ａ，１６ａ）及び回収ロール（１７）が上記被印刷材（４）の各側端部（４ａ，４ｂ）ごとにフレーム（１０ａ，１０ｂ）に保持され、上記被印刷材（４）を横切るように配置されるガイドレール（８）に両フレーム（１０ａ，１０ｂ）が支持された請求項１に記載の被印刷材用異物除去装置（１）を採用する。
【００１１】
また、請求項３に係る発明は、印刷機の給紙部（２）と印刷部（３）との間における被印刷材（４）の走行路上に設置された請求項１又は請求項２に記載の被印刷材用異物除去装置（１）を採用する。
【００１２】
【発明の実施の形態】
以下、本発明の実施の形態について図面を参照しつつ説明する。
【００１３】
図１に示すように、この異物除去装置１は印刷機の給紙部２と印刷部３との間における被印刷材４の走行路上に設置される。ここで例示される印刷機はオフセット輪転機であり、給紙部２と印刷部３との間にインフィード部５を有している。給紙部２内に装填された巻取紙１１から繰り出される被印刷材４としての用紙は、インフィード部５内の各種ローラ６・・・により張力を調整された後に印刷部３へと向かい、印刷部３で表裏両面に一色又は複数色で印刷された後に図示しない排出部から排出される。この異物除去装置１は被印刷材４がインフィード部５内を略垂直方向に走行する個所に配置されるが、印刷部３より前であれば他の走行個所に配置することも可能である。被印刷材４は印刷機内を例えば６００〜８００ｍ／分程度の速度で矢印方向に走行しつつその左右両側端部に付着した異物を除去された後印刷部３に至り印刷に付される。
【００１４】
図２に示すように、この異物除去装置は、被印刷材４を横切るように配置される横梁７を備える。この横梁７にガイドレール８及び送りねじ９を介し二つの箱型のフレーム１０ａ，１０ｂが片持ち状に保持されている。各フレーム１０ａ，１０ｂは被印刷材４の左右両側端部４ａ，４ｂに対応して配置され、各フレーム１０ａ，１０ｂには被印刷材４の左右両側端部４ａ，４ｂが夫々入り込む略Ｖ字形の切欠１２ａ，１２ｂが形成されている。送りねじ９は左半分と右半分が左右逆ネジとなっており、横梁７の一端に取り付けられたモータ１３又は手動ハンドルにより正転又は逆転するようになっている。このモータ１３の駆動で送りねじ９が回転することにより、左右のフレーム１０ａ，１０ｂは印刷機のセンターを基準にして被印刷材４の幅方向に対称的に移動し、被印刷材４の幅の大きさに応じて印刷機内での位置が変化する両側端部４ａ，４ｂへと移動する。また、一方のフレーム１０ｂには、被印刷材４の側端部４ｂを検知するとモータ１３を停止させ各フレーム１０ａ，１０ｂを被印刷材４の左右両側端部４ａ，４ｂに対向させるための投受光器からなるセンサ１４が取り付けられている。
【００１５】
なお、上記送りねじ９が設けられるのは被印刷材４が印刷機のセンターを基準に紙通しされる場合であるが、被印刷材４が印刷機の片側を基準に紙通しされる場合は上記送りねじ９は省略され、左右のフレーム１０ａ，１０ｂは作業者により被印刷材４の左右両側端部４ａ，４ｂの位置に応じて位置調整される。
【００１６】
右側のフレーム１０ｂ内には、図３乃至図５に示すように、走行する被印刷材４をその右側端部４ｂにおいて表裏から挟むように配置される保水性のある拭き取り材１５，１６と、この拭き取り材１５，１６を被印刷材４の右側端部４ｂに押付ける押し付け手段とが設けられている。また、図示しないが、左側のフレーム１０ａ内には、被印刷材４の左側端部４ａから異物を拭き取るための拭き取り材等が右側端部用のものと対称形に配置されている。
【００１７】
拭き取り材１５，１６としては例えば幅１０ｃｍ程度の帯状に形成された連続シートが用いられ、この連続シートをロール状に巻いた繰出しロール１５ａ，１６ａが各フレーム１０ａ，１０ｂ内に切欠１２ａ，１２ｂを間に挟むように二つずつ取り付けられている。一方の繰出しロール１５ａは切欠１２ａ，１２ｂ内に入り込んだ被印刷物４の表面に対応し、他方の繰出しロール１６ａは切欠１２ａ，１２ｂ内に入り込んだ被印刷物４の裏面に対応している。両繰出しロール１５ａ，１６ａから繰り出された拭き取り材１５，１６は切欠１２ａ，１２ｂの輪郭に沿うように伸びて重ね合わされた後重なったままの状態で回収ロール１７として巻き取られるようになっており、この二条の拭き取り材を巻き取る回収ロール１７が各フレーム１０ａ，１０ｂの切欠１２ａ，１２ｂよりも奥の方に設けられている。もちろん回収ロール１７は繰出しロール１５ａ，１６ａ毎に設けることもできる。
【００１８】
拭き取り材１５，１６は、保水性のある例えば不織布で作られる。拭き取り材１５，１６は、給水手段から供給される水を含んだ状態で被印刷材４の左右両側端部４ａ，４ｂから紙粉等の異物を拭き取る。拭き取り材として網目状のものを採用することができるが、その場合は網目内に紙粉等の異物を取り込むことができる。不織布の生地としては、例えば、セルロース系のものを用いることができる。また、不織布に代えて綿布、寒冷紗等を用いることもできる。
【００１９】
拭き取り材１５，１６は次に述べる送り手段により繰出しロール１５ａ，１６ａから回収ロール１７に向かって少しずつ送られるようになっている。
【００２０】
すなわち、各フレーム１０ａ，１０ｂには、切欠１２ａ，１２ｂの入口側に切欠１２ａ，１２ｂを挟むように配置される一対の送りローラ１８，１９と、各送りローラ１８，１９に拭き取り材１５，１６を押し付けるニップローラ２０，２１と、切欠１２ａ，１２ｂの奥側に配置されるガイドローラ２２とが設けられ、一対の繰出しロール１５ａ，１６ａから繰り出された拭き取り材１５，１６はそれぞれ送りローラ１８，１９とニップローラ２０，２１との間を通ってガイドローラ２２の回りで重ね合わされ回収ロール１７に巻き取られる。各繰出しロール１５ａ，１６ａの軸は図示しない摩擦クラッチを介してフレーム１０ａ，１０ｂに支持されている。一対の送りローラ１８，１９は、図５に示すように、フレーム１０ａ，１０ｂに固定されたエアシリンダ２３に対しリンク装置２４を介してに連結され、エアシリンダ２３のロッドが往復運動するごとに所定角度だけ往復角運動して繰出しロール１５ａ，１６ａから拭き取り材１５，１６を所定長さだけ引き出す。この所定長さは例えば２ｍｍであり、１分経過する毎に繰り出される。ニップローラ２０，２１は、このニップローラ２０，２１を支えるアーム２４，２５とフレーム１０ａ，１０ｂとの間に介装された図示しないスプリング等により送りローラ１８，１９の方に常時付勢され、拭き取り材１５，１６を送りローラ１８，１９の表面に押し付ける。回収ロール１７には、図４に示すようにモータ２６のトルクが歯車２７ａ，２７ｂ及び図示しない摩擦クラッチを介して伝達される。これにより、繰出しロール１５ａ，１６ａと回収ロール１７との間において拭き取り材１５，１６は適度な張力で弛むことなく引っ張られ、エアシリンダ２３の駆動で拭き取り材１５，１６が繰出しロール１５ａ，１６ａから繰り出されると同時に拭き取り材１５，１６は回収ロール１７に直ちに巻き取られる。このように帯状の拭き取り材１５，１６は送りローラ１８，１９とガイドローラ２２を経由して回収ロール１７へと間欠走行することで被印刷材４の両側端部４ａ，４ｂから異物を拭き取るが、拭き取り材１５，１６の通過経路は被印刷材４の幅方向でみると、被印刷材４の中央部近傍から側端部４ａ，４ｂへと移動することから除去した紙粉等の被印刷材４への再付着が防止される。
【００２１】
なお、図４及び図５に示すように、上記ニップローラ２０，２１を支えるアーム２４，２５の支軸には他のアーム２８，２９が固着され、この他のアーム２８，２９にカム３０，３１が接し、カム３０，３１には操作レバー３２，３３が取り付けられている。操作レバー３２，３３を操作してカム３０，３１を回すとニップローラ２０，２１が送りローラ１８，１９から離れるので、拭き取り材１５，１６の着脱操作が簡易化される。また、送りローラ１８，１９、ガイドローラ２２等には必要に応じてクラウンを設け、拭き取り材１５，１６が接触した被印刷材４に引っ張られないようにする。
【００２２】
また、拭き取り材１５，１６はその異物取り込み容量が大きい場合は固定して用いることもでき、所定時間が経過するたびに交換するようにしてもよい。また、繰出しロールはフレーム１０ａ，１０ｂに一つずつ装着し、被印刷材４の一側端部に対し一条の拭き取り材を被印刷材４の表側又は裏側から裏側又は表側へと反転するように送って側端部を拭いてもよい。また、被印刷材４の一側端部のみを拭き取るべくフレーム１０ａ，１０ｂ等は片側のみ設けることもできる。
【００２３】
押し付け手段は、拭き取り材１５，１６をその背面から被印刷材４の両側端部４ａ，４ｂに押し付ける押し付け部材３４，３５として構成される。押し付け部材３４，３５はローラ状に形成されているが、そのローラは回転可能にしてもよいし回転しないよう固定してもよい。また、押し付け部材３４，３５は半円柱形等他の形状に形成してもよい。図６に示すように、一対の押し付け部材３４，３５は走行する被印刷材４の側端部４ａ，４ｂに拭き取り材１５，１６を適度な力で押し付けることができるよう、被印刷材４の走行方向上でずらされると共に被印刷材４の反対面側へと押し込まれている。また、図４及び図６に示すように、押し付け部材３４，３５はフレーム１０ａ，１０ｂに固定されたエアシリンダ３６，３７の駆動により被印刷材４の側端部４ａ，４ｂに対し接離可能である。
【００２４】
押し付け部材３４，３５の表面は単なるゴム層で覆うようにしてもよいし、多孔体層で覆うようにしてもよい。多孔体層は、比較的硬くて腰のあるローラ本体の表面に薄い表面層として形成され、水が染み込み易く、かつ拭き取り材１５，１６に押し付けられると水が滲出し易い性質を有する。多孔体層の表面は拭き取り材１５，１６との間で大きな摩擦力を生じないよう平滑に仕上げられている。多孔体層はゴムローラ、金属ローラ等の表面に保水性のある樹脂製のスリーブを被せたり、木綿等の繊維で出来た布や紐を巻き付けること等によっても形成することができる。
【００２５】
上記拭き取り材１５，１６に水を供給する給水手段は、図２及び図３に示すように、給水タンク３８と、給水タンク３８から押し付け部材３４，３５へと水を供給する導管３９と、導管３９上に設けられた電磁弁４０，４１と、導管３９の先端が押し付け部材３４，３５に臨む個所に取り付けられたノズル４２，４３とを具備する。給水タンク３８内の水は電磁弁４０，４１の開閉動作により導管３９内に適量送り込まれ、ノズル４２，４３から押し付け部材３４，３５上へ吐出される。ノズル４２，４３から吐出された水は押し付け部材３４，３５を介して拭き取り材１５，１６に染み込む。拭き取り材１５，１６は水を含んだ湿潤状態で被印刷材４の両側端部４ａ，４ｂから異物を拭き取る。印刷が停止した時は電磁弁４０，４１が閉じて拭き取り材１５，１６への水の供給を停止する。もちろんノズル４２，４３を拭き取り材１５，１６に対向させることで水を押し付け部材３４，３５を介することなく拭き取り材１５，１６に直に供給することもできる。
【００２６】
次に、上記異物除去装置の作用について説明する。
【００２７】
印刷機の始動に先立ち、被印刷材４の両側端部４ａ，４ｂの印刷機内での位置に応じて、モータ１３の駆動によりフレーム１０ａ，１０ｂの位置調節が行われる。送りねじ９が回転してフレーム１０ａ，１０ｂがガイドレール８上を移動しセンサ１４が被印刷材４の側端部４ｂを捉えたところでフレーム１０ａ，１０ｂが停止する。これにより図３乃至図５に示すように拭き取り材１５，１６が被印刷材４の両側端部４ａ，４ｂを夫々表側と裏側から挟む。
【００２８】
一方、電磁弁４０，４１の開閉動作により給水タンク３８から水がノズル４２，４３へと供給される。ノズル４２，４３から吐出された水は押し付け部材３４，３５を介し拭き取り材１５，１６に付着し染み込む。
【００２９】
印刷機が始動し被印刷材４が給紙部２から印刷部３へと走行し出すと、エアシリンダ３４，３５の駆動により押し付け部材３４，３５が図６中実線位置から二点鎖線位置へと移動し、拭き取り材１５，１６を被印刷材４の両側端部４ａ，４ｂにおける表裏両面に押し付ける。これにより、被印刷材４の両側端部４ａ，４ｂは夫々拭き取り材１５，１６で拭われ、該両側端部４ａ，４ｂに付着した紙粉等の異物が払拭除去される。また、適度な水分を与えられ静電気が除去される。このようにして両側端部４ａ，４ｂから異物を除去され静電気が除去された被印刷材４は印刷機の印刷部３へと向かい表裏両面又は片面に印刷される。
【００３０】
拭き取り材１５，１６は、その染み込んだ水を介して被印刷材４の両側端部４ａ，４ｂから紙粉等の異物を吸着除去する。紙粉等は水を含んで泥状になり、拭き取り材１５，１６の繊維又は網目に捕捉され、回収ロール１７に拭き取り材１５，１６と共に回収される。拭き取り材１５，１６はエアシリンダ２３、モータ２６、摩擦クラッチ等の作用により所定長さずつ被印刷材４の中央部近傍から側端部４ａ，４ｂの方に向かって一定の張力下で弛むことなく繰り出される。拭き取り材１５，１６は被印刷材４の中央部近傍から側端部４ａ，４ｂに向かって送られるため、拭き取り材１５，１６に一旦捕捉された異物が再び被印刷材４に付着するようなことはない。
【００３１】
印刷の中断等により被印刷材４のスピードが低下し又は停止した場合は、エアシリンダ３６，３７の作動により、押し付け部材３４，３５及び拭き取り材１５，１６が被印刷材４の表面から引き離されると共に水の供給が止められる。これにより被印刷材４の破断、拭き取り材１５，１６の湿し過ぎ等が防止される。
【００３２】
【発明の効果】
本発明によれば、紙粉等の異物が殊に付着しやすい被印刷材の側端部から異物を除去し適正な印刷を行うことができる。
【００３３】
また、本発明によれば、拭き取り材で拭き取った異物の被印刷材への再付着を防止することができる。
【００３４】
また、本発明によれば、拭き取り材を被印刷材に適度に押し付けて異物の拭き取り効果を高めることができる。
【図面の簡単な説明】
【図１】本発明に係る異物除去装置を装着した印刷機を示す立面図である。
【図２】異物除去装置の概観を示す斜視図である。
【図３】異物除去装置の内部を示す斜視図である。
【図４】異物除去装置を示す平面図である。
【図５】異物除去装置を示す底面図である。
【図６】異物除去装置の押し付け部材を示す立面図である。
【符号の説明】
１…異物除去装置
２…給紙部
３…印刷部
４…被印刷材
４ａ，４ｂ…側端部
１５，１６…拭き取り材
３４，３５…押し付け部材
３９…導管
【図１】
0004435908.tif 000002
【図２】
0004435908.tif 000003
【図３】
0004435908.tif 000004
【図４】
0004435908.tif 000005
【図５】
0004435908.tif 000006
【図６】
0004435908.tif 000007